(57)【要約】  【課題】カラオケ利用者による楽曲の選択を好適に補助し、利用者満足度を向上させるために、利用者の属性情報における属性項目の緻細な区分に基づく情報を提供し、より容易かつ効率的に楽曲選択が補助できるシステムの提供。  【解決手段】利用者の属性情報に当該利用者ＩＤを紐付けして記録するための第１記録手段（１８）と、利用者が演奏させた楽曲を、その属性情報の属性項目にて分類すると共に、さらに所定の設定条件にて区分し、この区分に基づいて楽曲のランキング化したリストファイルを作成するためのランキング演算手段（１５）と、このリストファイルを記録するための第２記録手段（１９）と、任意のカラオケ演奏端末での利用者の楽曲選択に際し、当該利用者の属性情報における属性項目の区分内容に対応したリストファイルを表示させるために、カラオケ演奏端末に対してリストファイルを転送するためのデータ転送処理手段（１６）を有するシステムを構築した。【選択図】図２
2006099000.tif 000002
【特許請求の範囲】
【請求項１】
利用者ＩＤの認識手段を備えるカラオケ演奏端末と所定の通信ネットワークを介して接続され、利用者によるカラオケ楽曲の選択を補助するためのシステムであって、
（ア）利用者の属性情報に当該利用者ＩＤを紐付けして記録するための第１記録手段と、
（イ）前記各カラオケ演奏端末より送られた利用者ＩＤとこれに紐付けされた楽曲コードを含んだ演奏ログにより前記第１記録手段を参照し、当該利用者が演奏させた楽曲を、前記属性情報の内、少なくとも一つの属性項目で分類すると共に、当該属性項目をさらに所定の設定条件にて区分し、この区分に基づいて前記楽曲をランキング化したリストファイルを作成するためのランキング演算手段と、
（ウ）前記ランキング演算手段をもってランキング化したリストファイルを記録するための第２記録手段と、
（エ）任意のカラオケ演奏端末での利用者の楽曲選択に際し、当該利用者の属性情報における前記属性項目の区分内容に対応した前記リストファイルを表示させるために、当該カラオケ演奏端末に対して適時に前記第２記録手段に記録されている前記リストファイルの全部または一部を転送するためのデータ転送処理手段と、
を有することを特徴とする楽曲選択補助システム。
【請求項２】
前記利用者の属性項目が、利用者の年齢、性別、住所地、職業の何れかであることを特徴とする請求項１記載の楽曲選択補助システム。
【発明の詳細な説明】
【技術分野】
【０００１】
本発明は、カラオケ利用者による楽曲の選択を補助するためのシステムに関し、さらに詳しくは、利用者が歌唱した演奏ログ情報を収集し、楽曲選択をする利用者と共通する属性情報を有する利用者が選曲した楽曲のランキング情報を提供するためのシステムに関する。
【背景技術】
【０００２】
近年、通信カラオケの施設が全国的な広がりを見せ、データ記録技術や通信技術の発展により、カラオケ利用者に対して、種々の条件にて所望する楽曲を容易かつ効率的に検索できるようにしたサービスが生まれている。具体的には、所定のデータベースを内蔵したカラオケリモコン装置が提供する種々の検索コンテンツがある。そして、現在では、この検索コンテンツに加え、楽曲の選択を補助するための楽曲リスト表示も行われているが、利用者による楽曲の選択を好適に補助し、利用者の満足度を向上させるためには、今後、さらに工夫した楽曲の選択を補助できるサービスを提供する必要がある。
【０００３】
従来、カラオケ利用者が楽曲を選択するにあたり、所定数の楽曲名を表示して楽曲選択を補助するサービスが行われている。表示する楽曲を抽出する手法としては、例えば、楽曲に各年代にヒットした付属情報を付加し、当該利用者の馴染みのある年代を検索条件とすることなどが知られている。これに関連して、特許文献１では、各年代にヒットした楽曲を所定数表示させるにしても、当該ヒット曲が高度な歌唱力を要するようなものは利用者にとって必ずしも歌唱したい楽曲ではないことから、利用者が唄い易く、歌唱したい楽曲を抽出する手法が開示されている。
【特許文献１】特開平１１−５２９６５号公報
【０００４】
上記特許文献１は、全国的な利用者の歌唱履歴を反映した楽曲の推薦を目的としたカラオケシステムに関するもので、これは、推薦曲を抽出する手法の一例として、楽曲毎に選曲者属性数値を対応付けし、歌唱された選曲者属性数値に近似した選曲者属性数値の楽曲を所定数抽出するというものである。この選曲者属性数値は、演奏された楽曲に歌唱した顧客の氏名、性別、年齢等と関連付けられた利用者ＩＤを対応付けた演奏履歴を記憶し、これらを全国的に収集した演奏履歴データに基づいて、楽曲毎に各利用者の男性比率、若者比率、地元比率、人気比率で演算させることが示されている。
【発明の開示】
【発明が解決しようとする課題】
【０００５】
上記特許文献１に開示されている手法で抽出される推薦曲は、要約すれば、所定の楽曲が歌唱された後に歌唱される頻度の高い楽曲であり、属性数値が近似した利用者にとっては歌唱可能でよく歌唱されている楽曲が示されることで、好適に選択を補助できるものの「直後に歌唱される頻度の高い楽曲」という曖昧さや、利用者の個性が強く反映されてしまう面もあって、利用者満足度の面では十分とは言えない。
【０００６】
そこで、本発明は、カラオケ利用者による楽曲の選択を好適に補助し、利用者満足度を向上させるために、利用者の属性情報における属性項目の緻細な区分に基づく情報を提供し、より容易かつ効率的に楽曲選択が補助できるシステムの提供を課題とする。
【課題を解決するための手段】
【０００７】
上記課題を鑑み、本発明者は、各カラオケ演奏端末より送られた利用者ＩＤとこれに紐付けされた楽曲コードを含んだ演奏ログにより、当該利用者が演奏させた楽曲を、当該利用者ＩＤの属性情報の内、少なくとも一つの属性項目で分類すると共に、当該属性項目をさらに所定の設定条件にて区分し、この区分に基づいてその楽曲をランキング化したリストファイルを作成し、任意のカラオケ演奏端末での利用者の楽曲選択に際し、当該利用者の属性情報における属性項目の区分内容に対応したリストファイルを表示させるために、カラオケ演奏端末に対して適時にリストファイルを転送するシステムを構築することにより、上記課題を解決できることを見出し、本発明の楽曲選択補助システムを想到した。
【０００８】
すなわち、本発明の請求項１記載の楽曲選択補助システムは、利用者ＩＤの認識手段を備えるカラオケ演奏端末と所定の通信ネットワークを介して接続され、利用者によるカラオケ楽曲の選択を補助するためのシステムであって、
（ア）利用者の属性情報に当該利用者ＩＤを紐付けして記録するための第１記録手段と、
（イ）前記各カラオケ演奏端末より送られた利用者ＩＤとこれに紐付けされた楽曲コードを含んだ演奏ログにより前記第１記録手段を参照し、当該利用者が演奏させた楽曲を、前記属性情報の内、少なくとも一つの属性項目で分類すると共に、当該属性項目をさらに所定の設定条件にて区分し、この区分に基づいて前記楽曲をランキング化したリストファイルを作成するためのランキング演算手段と、
（ウ）前記ランキング演算手段をもってランキング化したリストファイルを記録するための第２記録手段と、
（エ）任意のカラオケ演奏端末での利用者の楽曲選択に際し、当該利用者の属性情報における前記属性項目の区分内容に対応した前記リストファイルを表示させるために、当該カラオケ演奏端末に対して適時に前記第２記録手段に記録されている前記リストファイルの全部または一部を転送するためのデータ転送処理手段と、
を有することを特徴とする。
【０００９】
さらに、本発明の請求項２記載の楽曲選択補助システムは、請求項１記載のシステムにおいて、前記利用者の属性項目が、利用者の年齢、性別、住所地、職業の何れかであることを特徴とする。
【発明の効果】
【００１０】
本発明の請求項１記載の楽曲選択補助システムによれば、通信ネットワークを介して各カラオケ演奏端末から収集した各利用者の属性情報を所定の属性項目で分類すると共に、当該属性項目をさらに所定の設定条件にて区分して楽曲をランキング化することで、利用者と共通する属性項目の区分に基づき、利用者に好適に対応したランキング情報が提供できることから、より容易かつ効率的に楽曲選択ができ、利用者満足度が向上されるなどといった効果を奏する。
【００１１】
さらに、本発明の請求項２記載の楽曲選択補助システムによれば、利用者の属性情報における属性項目が利用者の年齢、性別、住所地、職業の何れかであることから、一般的な利用者にとって馴染み深くて分かり易く、さらに、所定の設定条件にての身近な区分、例えば、年齢の年代別、男女の性別、住所地の都道府県別、職業の種別等々により、より好適に利用者に対応したランキング情報を提供でき、利用者の興味をさらに掻き立てることができるなどといった効果を奏する。
【発明を実施するための最良の形態】
【００１２】
以下、本発明の楽曲選択補助システムにつき好適な実施例を挙げて説明するが、先ず、ここで、図１に示す、本発明の楽曲選択補助システムのネットワーク模式図に基づき、本システムに関連する全体構成について説明する。
【実施例１】
【００１３】
図１は本発明の楽曲選択補助システムに関連する概略的な全体構成を示すもので、本実施例のシステムはカラオケホスト装置（１）を主体として構成されている。このカラオケホスト装置（１）は、一般公衆電話回線やこれを用いたインターネットやＡＤＳＬあるいはＬＡＮなどの通信ネットワーク（５）を介して各カラオケ演奏端末（２，２…）に接続されている。具体的には、カラオケ事業者が管理するＶＰＮ（Virtual
Private Network）を用いて、カラオケホスト装置（１）と各カラオケ演奏端末（２）がルータ（６）を介して接続され、各ルータ（６，６…）は、その内蔵するＤＨＣＰ（Dynamic
Host Configuration Protocol）サーバ機能によって、各カラオケ演奏装置（２，２…）にＩＰアドレスを割り当て、それらのＭＡＣ（Media
Access Control）アドレスとＩＰアドレスとを対応付けしたテーブルを作成して通信処理をしている。
【００１４】
図６にて後述するが、カラオケ演奏端末（２）には大容量のハードディスク装置が備えられており、これには多数のカラオケ楽曲のＭＩＤＩデータを主体とした楽曲データや、歌詞画像の生成起源となる映像データなどを含むカラオケデータ、さらには、所定形式の長時間分の動画データや動画データの処理シーケンス（処理すべき背景動画データの記録場所と処理順番）を規定した台本データや演奏可能なカラオケ楽曲についての曲名やアーティスト名、発表年、歌詞の歌い出し部分などの目次情報が記録されている。
【００１５】
そして、カラオケ演奏端末（２）には、楽曲検索機能を備えた多機能カラオケリモコン装置（３）が付帯されており、このリモコン装置（３）をもって、利用者は赤外線信号によりカラオケ演奏端末（２）に所望の演奏予約コマンドを送信する。本実施例のリモコン装置（３）には、その内蔵２次電池に充電するための専用架台が必要であるが、この専用架台には、充電手段の他、利用者ＩＤを認識し、当該利用者の本システムへのログインを確認するための利用者ＩＤの認識手段（４）が付帯されている。なお、本実施例では、リモコン装置の専用架台に利用者ＩＤの認識手段（４）が付帯されているが、本発明は、これを特に限定するものでなく、利用者ＩＤの認識手段（４）は、リモコン装置本体に装着されていたり、カラオケ演奏端末本体に装着されていても構わない。
【００１６】
また、本実施例での利用者ＩＤの認識手段とは、上記のように、専用架台が付帯した非接触ＩＣモジュール搭載のＩＤカードの読み取り／書き込み装置であり、カードＩＤに紐付けされた利用者ＩＤを特定するものであるが、この他にも、例えば、ＩＣモジュールを携帯電話に内蔵させたＩＣ機能付き携帯電話や、近距離無線通信手段であるブルートゥース（blue
tooth）機構を有する携帯電話、あるいはパスワードの入力装置や指紋や声紋などの生体識別機能に依る機構の利用者認識手段を利用しても良い。
【００１７】
次に、図２に示す、本システムを包含するカラオケホスト装置のブロック構成図に基づき、請求項１記載の枕詞および（ア）〜（エ）の構成について詳述する。
【００１８】
図２に示すように、本実施例のカラオケホスト装置（１）は本システムを包含して構成されており、バスライン（１０）に接続された機能手段として、中央制御手段（１１）、通信制御手段（１２）、ＲＡＭ（１３）、リスト作成手段（１４）、ランキング演算手段（１５）、データ転送処理手段（１６）、データベース管理手段（１７）などに加えて、利用者管理用テーブル（Ｔ１）に基づき構成される第１記録手段を成す利用者データベース（１８）や、ランキングテーブル（Ｔ２）に基づき構成される第２記録手段を成すランキングデータベース（１９）などを備える。
【００１９】
ここで、上記各機能手段について少々説明する。先ず、中央制御手段（１１）は、本システムを含めてカラオケホスト装置（１）を統括的に制御するもので、例えば、物理的なＣＰＵに制御のためのプログラムが記録され、当該プログラムはＲＡＭ（１３）に展開されて実行される。次に、通信制御手段（１２）は、通信ネットワーク（５）を介して接続された各カラオケ演奏端末の間で、定められた通信プロトコルによって通信を行うためのもので、通信ネットワーク（５）の通信方式と整合性をとるためのツール、例えば、通信用回路といったハードウエアやプラットフォームなどのソフトウエアなどにより構成される。また、ＲＡＭ（１３）は、種々のプログラムを展開、実行させるための作業領域としての役割を担い、例えば、半導体メモリで構成され、仮想的にハードディスク上に構築される場合を含む概念である。
【００２０】
リスト作成手段（１５）は、各カラオケ演奏端末より、利用者ＩＤとこれに紐付けされた楽曲コードを含んだ演奏ログに基づき、各利用者による持ち歌の楽曲として当該利用者の利用者ＩＤ毎にユーザリストを作成して所定のデータベース（図示省略）に記録するものである。さらに、ランキング演算手段（１５）は、これと同様に、各カラオケ演奏端末より送られてくる演奏ログから、後述する利用者データベース（１８）を参照し、利用者ＩＤの属性情報の内、少なくとも一つの属性項目を分類対象とし、その属性項目のさらに所定の設定条件による区分に基づき、それぞれの楽曲をランキング化したリストファイルを作成する。そして、このランキング演算手段（１５）をもってランキング化したそれぞれのリストファイルはランキングデータベース（１９）に記録される。
【００２１】
データ転送処理手段（１６）は、任意のカラオケ演奏端末での利用者の楽曲選択に際し、当該利用者の属性情報における前記属性項目の区分内容に対応したリストファイルを表示させるため、当該カラオケ演奏端末に対して適時にランキングデータベース（１９）に記録されているリストファイルの全部または一部を転送するものである。そして、データベース管理手段（１７）は、利用者データベース（１８）およびランキングデータベース（１９）に対して統括的に、その蓄積データの追加、更新、削除、抽出などを行う。
【００２２】
以下、図３に示す、利用者管理用テーブルの概念的構成図、図４に示す、ランキングテーブルの概念的構成図、図５に示す、属性項目とその区分の組み合わせ例に基づき、請求項１記載の（ア）から（ウ）の構成および請求項２記載の構成について詳述する。
【００２３】
先ず、第１記録手段を成す上記利用者データベース（１８）には、各利用者ＩＤ登録の際、登録用フォーマットなどに利用者が記載した内容に基づき、各利用者の属性情報が予め入力され記録されている。その属性情報の属性項目とは、本実施例の場合、具体的には、図３の利用者管理用テーブル（Ｔ１）の概念的構成図に示されている。すなわち、この利用者管理用テーブル（Ｔ１）は、利用者を特定するための「利用者ＩＤ」フィールド（ｆ１）、この利用者ＩＤに紐付けされ、利用者の氏名を示す「氏名」フィールド（ｆ２）、利用者の性別を示す「性別」フィールド（ｆ３）、利用者の生年月日を示す「生年月日」フィールド（ｆ４）、この生年月日に基づいて算出した利用者の年齢を示す「年齢」フィールド（ｆ５）、利用者の職業を示す「職業」フィールド（ｆ６）、利用者の電話番号を示す「電話番号」フィールド（ｆ７）、利用者の居住地を特定するための「住所地」フィールド（ｆ８）、そして、利用者を特定するための顔写真を示す「写真」フィールド（ｆ９）などから主に構成されている。
【００２４】
一方、第２記録手段を成す上記ランキングデータベース（１９）は、通信ネットワーク（５）に接続された各カラオケ演奏端末より送られた利用者ＩＤとこれに紐付けされた楽曲コードを含んだ演奏ログにより上記利用者データベース（１８）を参照し、リストファイルを記録するためのものである。通常、この演奏ログには利用者が演奏させた楽曲を特定できる楽曲コードが含まれており、その楽曲と紐付けした利用者ＩＤの属性情報の内、少なくとも一つの属性項目（例えば、「年齢」）で分類すると共に、当該属性項目をさらに所定の設定条件（例えば、「１０代」、「２０代」、「３０代」…）にて区分し、この区分に基づいてランキング演算手段（１５）が楽曲をランキング化したリストファイルを作成し、このリストファイルを記録する。
【００２５】
このランキングデータベース（１９）は、図４に示す、ランキングテーブル（Ｔ２）に基づいて構成されている。本実施例のランキングテーブル（Ｔ２）は、分類対象とする利用者の属性項目を特定するための「属性項目」フィールド（ｆ１０）、その属性項目を区分するための所定の設定条件を示す「区分」フィールド（ｆ１１）、この区分に基づいてランキング化した結果のランキング順位を示す「順位」フィールド（ｆ１２）、このランキング順位を決めるための元データであり、所定期間中において利用者が演奏させた楽曲コードを含んだ演奏ログに基づき、それぞれの楽曲の演奏回数から算出した演奏頻度を示す「頻度」フィールド（ｆ１３）、さらに、それぞれのランキング順位に相当する楽曲を特定するための「楽曲コード」フィールド（ｆ１４）、それぞれの楽曲の曲名を示す「曲名」フィールド（ｆ１５）、それぞれの楽曲に関連するアーティストを特定するための「アーティスト」フィールド（ｆ１６）などから主に構成されている。
【００２６】
本実施例では、ランキング化の分類対象とする利用者の属性情報を「年齢」（ｆ１０ａ）、（ｆ１０ｂ）としており、さらに、この「年齢」は、所定の設定条件にて区分される。具体的には、例えば、図４の（Ａ）では、区分が「１０歳未満」（ｆ１１ａ）と設定され、（Ｂ）では、区分が「１０歳〜１９歳」（ｆ１１ｂ）と設定されている。ここでは全てを図示しないが、本実施例では、「年齢」を「１０代未満」、「１０代」、「２０代」、「３０代」、「４０代」、「５０代」、「６０代」、「７０代」、「８０代以上」の設定条件にて区分している。そして、それぞれの区分に基づき、ランキング演算手段がランキング化したリストファイルを記録するが、これは、各カラオケ演奏端末より送られた利用者ＩＤとこれに紐付けされた楽曲コードを含んだ演奏ログにより、図３に示す、利用者管理用テーブル（Ｔ１）の「年齢」フィールド（ｆ５）を参照して行われる。
【００２７】
本実施例では属性情報を「年齢」という一つの属性項目で分類しているが、勿論、本発明は一つの属性項目に限定されない。図５には、属性項目とその区分の組み合わせ例が示されている。例えば、図５の（ａ）の例では、分類対象とする「属性項目」フィールド（ｆ１０）には「年齢」と「性別」の２つが採用されている。また、（ｂ）の例では、「年齢」と「性別」および「住所地」の３つが採用されている。さらに、（ｃ）の例では、「年齢」と「性別」と「住所地」および「職業」の４つが採用されている。そして、各属性項目をさらに所定の設定条件にて区分している。属性項目とその区分の組み合わせ例として、具体的には、図５の（ａ）、（ｂ）、（ｃ）の各「区分」フィールド（ｆ１１）に示すように、属性項目の「年齢」に対して「３０歳〜３９歳」が、「性別」に対して「男」が、「住所地」として「茨城県」が、「職業」に対して「医師」が、それぞれ条件設定されている。このように、分類対象とする属性項目を多岐に採用し、それぞれの区分と組み合わせることで、利用者に対し、より緻細なランキング情報を提供できる。
【００２８】
本発明では、利用者の属性情報における属性項目の種別を特に限定するものではないが、属性項目を、一般的な利用者にとって馴染み深い、利用者の年齢、性別、住所地、職業とすることにより、より分かり易くなり、さらに、所定の設定条件にての区分、例えば、年齢の年代別（１０代、２０代、３０代…）、性別（男、女）、住所地の都道府県別（東京都、千葉県、埼玉県…）、職業の種別（会社員、公務員、医師、弁護士、タレント、…）等々により、利用者の興味をさらに掻き立てることができる。勿論、この他、利用者の生年月日から割り出した星座や四柱推命、あるいは、利用者の血液型の属性情報など、利用者の興味を掻き立てるのものであっても好ましい。
【００２９】
以下、図６に示す、カラオケ演奏端末のブロック構成図と、図７に示す、利用者の属性情報に対応した条件設定画面およびリストファイルの表示画面に基づき、本システムの利用方法および請求項１記載の（エ）の構成について詳述する。
【００３０】
先ず、図６に基づき、本システムにかかわるカラオケ演奏端末について少々説明する。カラオケ演奏端末（２）は、装置全体の動作を制御する中央制御手段（２０）と、これに接続された各種機器にて主に構成される。具体的には、この中央制御手段（２０）には、ハードディスク（２１）、ＲＡＭ（２２）、音源（シンセサイザ：２３）、ミキサ（エフェクタ：２４）、ボーカルアダプタ（２９）、ＭＰＥＧデコーダ（３０）、合成回路（３１）、利用者ＩＤの認識手段であるＩＤカード読み取り／書き込み装置（４）などが接続されている。また、ハードディスク（２１）には、本システムに演奏ログとして送信する情報などとして、利用者ＩＤデータ（３７）や、利用者が演奏させた楽曲を特定したり、演奏予約時にカラオケ楽曲を特定したりするための楽曲コードデータ（３８）、さらには、カラオケ楽曲の演奏データである楽曲データ（３９）やその背景映像の映像データ（４０）の他、本システムより転送されたランキング化したリストファイルデータ（４１）などを記録している。
【００３１】
リストファイルデータ（４１）は、本システムのランキング演算手段により、ランキング化の分類対象として設定された属性項目とその区分の組み合わせにより、通常、多数のパターンで作成されたファイルデータの集合体からなり、本システムのデータ転送処理手段によるカラオケホスト装置からの転送データにより随時更新されるが、これは、利用者による楽曲選択に際して、オンデマンド処理にて、その都度転送されたものであったり、あるいは、予め適宜のタイミングで各カラオケ演奏端末に全てのランキング情報のリストファイルを転送して蓄積されたものであっても構わない。
【００３２】
音源（２３）は、中央制御手段（２０）が実行するシーケンサ（３５）における楽曲シーケンサの処理によって入力された楽曲データに応じて楽音信号を形成する。形成された楽音信号はミキサ（２４）に入力され、このミキサ（２４）は、音源（２３）が発生した複数の楽音信号やカラオケマイク（２７）と、Ａ／Ｄコンバータ（２８）を介して入力された利用者の歌唱音声信号を適当なバランスでミキシングする。ミキシングされたデジタル音声信号はサウンドシステム（ＳＳ：２５）に入力される。このサウンドシステム（２５）はパワーアンプを備えており、入力されたデジタル信号をアナログ信号に変換して増幅し、スピーカ（２６）から楽音と歌唱音声を放音する。
【００３３】
ハードディスク（２１）に記録されている映像データ（４０）やリストファイルデータ（４１）は、ＭＰＥＧ（Moving Picture Experts Group）形式にエンコードされており、中央制御手段（２０）が実行する映像・画像再生手段（図示省略）によって処理を行い、これを読み出してＭＰＥＧデコーダ（３０）に入力する。映像データ（４０）の場合、このＭＰＥＧデコーダ（３０）は、入力されたＭＰＥＧデータをＮＴＳＣの映像信号に変換して合成回路（３１）に入力し、この合成回路（３１）は、この背景映像の映像信号上に歌詞テロップや採点表示などのＯＳＤを合成し、合成された映像信号を表示手段（３２）に表示する。一方、リストファイルデータ（４１）の場合、リストファイル表示手段（３６）により、利用者の属性情報における属性項目の区分内容に対応したリストファイルを、表示手段（３２）ないしリモコン装置（３）付帯のＬＣＤに表示させるが、このリストファイル表示手段（３６）は、カラオケ演奏端末本体ではなく、その付帯するリモコン装置（３）内に組み込まれていても構わない。
【００３４】
利用者がカラオケ演奏端末での楽曲選択に際して、通常、カラオケ演奏端末が付帯する楽曲検索機能を備えたリモコン装置が利用される。このリモコン装置内には所定のデータベースが構築されていると共にＧＵＩ（Graphical
User Interface）機能を備えており、液晶ディスプレイ（ＬＣＤ：Liquid Crystal Display）とタッチセンサとを積層した入出力用の利用者インタフェイスにより、利用者が楽曲選択などのデータを入力できるものであり、本システムもこの機能を利用するのが最も好適である。
【００３５】
以下、上記リモコン装置の利用者インタフェイスに基づき、本システムの具体的な利用方法について説明する。先ず、図７の（Ａ）に示すのは、本システムを利用してランキング情報を得る場合の利用者の属性情報に対応した条件設定画面（Ｄ１）であり、この画面（Ｄ１）にはランキング化の分類対象とする属性項目として、「年代」と「性別」が採用されている。任意の利用者が楽曲を選択する際、自身の利用者ＩＤを選択した後、具体的には、利用者ＩＤの認識手段により、本システムに予めログインしている利用者が特定され、利用者個別の専用アイコンが作成されるため、この専用アイコンの指定を含めた所定の操作により、任意の利用者がこの画面（Ｄ１）を表出させると、この画面（Ｄ１）には、第１記録手段に記録されたデータに基づき、当該利用者の氏名と共に分類対象とされる利用者の「年代」と「性別」などの属性項目（ｄ１）が表示されるように構成されている。
【００３６】
図７の（Ｂ）に示すのは、上記条件設定により特定されたランキング情報検索画面（Ｄ２）である。この画面（Ｄ２）には、利用者が設定した条件を示す「設定条件」カラム（ｄ２）やランキング情報を示すリストファイル（ｄ３）が表示される。利用者は、このリストファイル（ｄ３）を確認することにより、自らと共通する属性情報を有する利用者が選曲した楽曲のランキング情報を見ながら、最も所望する楽曲を効率的に選択することができる。
【００３７】
以上、詳述したように、本発明の楽曲選択補助システムによれば、通信ネットワークを介して各カラオケ演奏端末から収集した各利用者の属性情報を所定の属性項目で分類すると共に、当該属性項目をさらに所定の設定条件にて区分して楽曲をランキング化することで、利用者と共通する属性項目の区分に基づき、利用者に好適に対応したランキング情報が提供できることから、より容易かつ効率的に楽曲選択ができ、利用者満足度が向上される。
【図面の簡単な説明】
【００３８】
【図１】本発明の楽曲選択補助システムのネットワーク模式図。
【図２】本システムを包含するカラオケホスト装置のブロック構成図。
【図３】利用者管理用テーブルの概念的構成図。
【図４】ランキングテーブルの概念的構成図。
【図５】属性項目とその区分の組み合わせ例。
【図６】カラオケ演奏端末のブロック構成図。
【図７】利用者の属性情報に対応した条件設定画面およびリストファイルの表示画面。
【符号の説明】
【００３９】
１  カラオケホスト装置
２  カラオケ演奏端末
３  カラオケリモコン装置
４  利用者ＩＤの認識手段
５  通信ネットワーク
１１  中央制御手段
１２  通信制御手段
１３  ＲＡＭ
１５  ランキング演算手段
１６  データ転送処理手段
１８  利用者データベース（第１記録手段）
１９  ランキングデータベース（第２記録手段）
Ｔ１  利用者管理用テーブル
Ｔ２  ランキングテーブル
【図１】
2006099000.tif 000003
【図２】
2006099000.tif 000004
【図４】
2006099000.tif 000005
【図５】
2006099000.tif 000006
【図７】
2006099000.tif 000007
【図３】
2006099000.tif 000008
【図６】
2006099000.tif 000009